(57)【要約】【課題】歯間部においては歯ブラシに歯磨剤を使用し行う一般的なブラッシングでは、正確に歯垢を除去することは困難であり、虫歯、歯周病の発生率が著しく高い。この事実に鑑み、歯間部における歯垢除去効率を上昇させる歯間清掃具の開発を課題とした。【解決手段】歯磨剤に含まれる清掃用基材である各種カルシュウム粒子に、粘着力を有する固定材と水分を加え撹拌した液体に、楊枝、歯間ブラシ、デンタルフロス、フロスピック使用部を漬け置き含浸後、乾燥固定し歯間部における歯垢除去率を上昇させた。【選択図】図３
2015093182.tif 000002
【特許請求の範囲】
【請求項１】
食品及び食品添加物であり人体に無害であるカルシュウム粒子を清掃基材に、粘着力を有する固定材と水分を加え撹拌した液体に木製品である楊枝先端使用部を漬け置き含浸後乾燥固定したことを特徴とする歯間清掃具。
【請求項２】
請求項１の楊枝であって、その先端使用部の断面が二等辺三角形状であることを特徴とする歯間清掃具。
【請求項３】
請求項１で使用したカルシュウム粒子を清掃基材に、粘着力を有する固定材と水分を加え撹拌した液体に、デンタルフロス、フロスピックのフロス使用部を漬け置き含浸後乾燥固定したことを特徴とする歯間清掃具。
【請求項４】
請求項１で使用したカルシュウム粒子を清掃基材に、粘着力を有する固定材と水分を加え撹拌した液体に、歯間ブラシ使用部を漬け置き含浸後乾燥固定したことを特徴とする歯間清掃具。
【請求項５】
食品及び食品添加物であり人体に無害であるカルシュウム粒子を清掃基材に、粘着力を有する固定材と水分を加え撹拌した工程と、楊枝、歯間ブラシデンタルフロス、フロスピックのフロス使用部を漬け置き含浸後乾燥固定する工程を有することを特徴とする請求項１乃至４の歯間清掃具製造方法。
【発明の詳細な説明】
【技術分野】
【０００１】本発明は、カルシュウム粒子含浸歯間清掃具とその製造に関する。
【背景技術】
【０００２】現在、販売される歯間清掃具を代表する商品は楊枝、歯間ブラシ、デンタルフロス（糸束をボビンに巻いたもの）及びフロスピック（弓状の成形部に糸束を張り歯の上面から歯間に挿入し前後に移動させ歯垢を除去する商品）が主流であり、楊枝においては歯間形状に適合し挿入が容易にできる商品、歯間ブラシにおいては歯肉を傷つけるリスクを低下させる目的からエラストマー（ゴム）成形商品、デンタルフロスにおいては、より細い糸を密集させ、歯垢除去率の上昇を計った商品等もある。
【発明の開示】
【発明者が解決しようとする課題】
【０００３】現在市販されている楊枝、歯間ブラシ、デンタルフロス、フロスピック、少数ではあるが水、空気を噴射する機器などによる除去方法においても正確に歯間に付着した歯垢を取り除くことは難しく、上記し機器を使用した場合、手軽に歯間清掃を行うことが出来なかった。
これらの問題点に鑑み、歯間清掃が正確且つ、手軽に外出先においても行える歯間清掃用具の開発を課題とした。
【課題を解決するための手段】
【０００４】虫歯、歯周病が発生する第一の原因は歯垢除去が難しく、不潔であることから、病原菌が増殖することで発生する。
本発明者は、歯磨剤に含まれる清掃用基材である各種カルシュウム粒子に着目し、その物性を利用すると同時に粘着力を有する固定材を配合し、水分を加え撹拌した液体を楊枝、歯間ブラシ、デンタルフロス、デンタルピックに含浸固定することで歯間部の歯垢除去効率を上昇させた。
【０００５】又、楊枝、歯間ブラシ、デンタルフロス、フロスピック使用部に含浸固定される清掃用基材である各種カルシュウム粒子及び粘着力を有する固定材においては、食品又は食品添加物であり口腔内使用に好適なものを使用した。
【０００６】詳しくは下記、発明を実施するための最良の形態において説明するが、歯垢除去すると同時に歯肉に優しいことを考え、硬質カルシュウムの配合量を減少させることとした。
【発明の効果】
【０００７】楊枝、歯間ブラシ、デンタルフロス、フロスピック使用部に、カルシュウム粒子を清掃基材とし粘着力を有する固定材と水分を加え撹拌した液体に漬け置き含浸後、乾燥固定した歯間清掃具を使用することで、歯間に付着した歯垢等の汚れを今迄以上に効率よく除去することが可能になった。
【０００８】木製楊枝においては、木目組織内に上記清掃基材が容易に含浸し、歯間ブラシ、デンタルフロス、デンタルピックにおいても固定材により数回程度の使用においては、その効果が充分に持続した。
【発明を実施するための最良の形態】
【０００９】以下、本発明を実施するために最良の形態を図をもって説明する。【００１０】図１は、弊社が製造販売する三角楊枝の形状を示す正面図であり、三角楊枝持ち手部１と三角楊枝使用面（断面が二等辺三角形）１Ａから構成されている。
今回は、歯間清掃時に使用される三角楊枝使用面１Ａに食品及び食品添加物であり人体に無害であるカルシュウム粒子を清掃基材に、粘着力を有する固定材と水分を加え撹拌した液体を含浸後乾燥固定した。一般に普及する楊枝においては円錐形状の使用部に歯間ブラシにおいてはブラシ使用部にデンタルフロス、デンタルピックにおいては糸束使用部に上記した液体を含浸後、乾燥固定した。【００１１】図２は走査電子顕微鏡において２５０倍に拡大した三角楊枝使用面１Ａの写真であり、２は三角楊枝使用面組織である。この組織は一定方向（長手方向）に規則性をもって伸び、その幅は写真から分かるように約１〜５μｍと考えられる。【００１２】図３は走査電子顕微鏡において２５０倍に拡大した三角楊枝使用面１Ａに、固定材によりカルシュウム粒子を含浸後乾燥固定した状態を示した写真で、三角楊枝使用面組織２にカルシュウム粒子３が含浸固定する状態を示したものである。このカルシュウム粒子３が使用時、唾液により溶け出し歯間清掃効率を上昇させる。楊枝の場合は木製品であり含浸は顕著である。他の歯間ブラシ、デンタルフロス、フロスピックにおいても使用部糸径が細く密集していることと、上記した固定材の働きにより数回の使用において充分効果が認められた。【００１３】各商品に含浸させるカルシュウム粒子の好適な種類は、植物の生育に重要で、動物の骨や歯の主成分であるリン酸カルシュウム（無水も含む）で、その理由は人間の歯面エナメル質の硬度Ｈｖ４０〜６０位と同程度の硬さのため、効率よく歯垢除去ができ歯面を傷つける恐れも少ない。その他にも、炭酸カルシュウム（重質・軽質）、無水ケイ酸なども有効である。これらのカルシュウム類は水に対して不溶解（極少量しか溶解しない）であることから含浸時に撹拌が重要である。又、含浸量は水などの液体１００ｇに対し２〜６ｇ位が好適で、固定材は乳由来の脂質類が有効であり、腐敗を防ぐ目的から乾燥工程も重要であった。
又、アレルギー問題から清掃基材には植物由来のカルシュウム、Ｌ型発酵乳酸カルシュウム等を使用し、固定材においても植物由来の脂質類使用も有効である。
【図面の簡単な説明】
【００１４】
【図１】弊社製造三角楊枝の形状を示す正面図
【図２】三角楊枝使用面（１Ａ）を、走査電子顕微鏡で撮影した２５０倍拡大写真
【図３】三角楊枝使用面（１Ａ）にカルシュウム粒子を含浸後、走査電子顕微鏡で撮影した２５０倍拡大写真
【符号の説明】
【００１５】１．三角楊枝持ち手部
１Ａ．三角楊枝使用面
２．三角楊枝使用面組織
３．カルシュウム粒子
【図１】
2015093182.tif 000003
【図２】
2015093182.tif 000004
【図３】
2015093182.tif 000005